(57)【要約】      （修正有）【課題】遊技球の球速及び導入方向に関わらず、遊技球誘導経路延長装置内に流入した遊技球の流入方向の方向付けをし、特定周回方向へ転動させる弾球遊技機を提供する。【解決手段】遊技球流動経路延長装置は、導入口１８と、この導入口１８から導入された遊技球を受け止めて転動させる平面視円形の円形底部１６と、この円形底部１６に形成され落下口１７と、前記導入口１８に流入する遊技球２を円形底部１６の方へ案内して平面視にて特定周回方向へ転動するように案内する第１案内部１９及び第２案内部２３とを備え、第１案内部１９は導入口１８から導入された遊技球２を第２案内部２３の方へ案内し、第２案内部２３は遊技球２を円形底部１６に案内する。【選択図】図３
2008264247.tif 000002
【特許請求の範囲】
【請求項１】
遊技球の流動経路を延長する為の遊技球流動経路延長装置を備えた弾球遊技機において、
前記遊技球流動経路延長装置は、遊技球を導入する導入口と、この導入口から導入された遊技球を受け止めて転動させる平面視円形の円形底部と、この円形底部に形成され遊技球が落下する１又は複数の落下口と、前記導入口に流入する遊技球を円形底部の方へ案内して平面視にて特定周回方向へ転動するように案内する第１案内部及び第２案内部とを備え、
前記第１案内部は前記導入口から導入された遊技球を第２案内部の方へ案内し、前記第２案内部は遊技球を前記円形底部に案内する、
ことを特徴とする請求項１に記載の弾球遊技機。
【請求項２】
前記落下口は円形底部の中心寄り部分に前後に並べて２つ形成され、前記円形底部の上面は、外周側から中心側へ緩く下り傾斜した緩傾斜面に形成されていることを特徴とする請求項１に記載の弾球遊技機。
【請求項３】
前記遊技球流動経路延長装置は前記落下口から落下した遊技球を遊技盤の前面側へ排出させる排出口を備え、
前記遊技球流動経路延長装置は所定の入賞口の上方に配設され、前記導入口は遊技盤の盤面よりも手前側に突出した位置に配置され、前記排出口は前記遊技盤の盤面よりも手前側に突出した位置で且つ前記入賞口の鉛直上方の部位に形成されたことを特徴とする請求項１又は２に記載の弾球遊技機。
【請求項４】
前記第１案内部は前記導入口の上流部の隅部に設けられた平面視三角形状の突起片で構成され、前記第２案内部は前記導入口の下流部に設けられた正面視三角形状の突起片で構成されたことを特徴とする請求項１〜３の何れかに記載の弾球遊技機。
【発明の詳細な説明】
【技術分野】
【０００１】
本発明は、弾球遊技機に関し、特に、遊技領域を転動する遊技球の流動経路を延長する為の遊技球誘導経路延長装置の構造を改良した弾球遊技機に関するものである。
【０００２】
従来、弾球遊技機である第２種のパチンコ機においては、遊技盤の遊技領域に、遊技球が入賞可能な１又は複数の始動入賞口と、開状態と閉状態とに切換え可能な１対の開閉羽根を有する可変入賞装置とが設けられ、遊技領域に発射された遊技球が始動入賞口に入賞するのを条件に、これら開閉羽根が微小時間だけ所定回数（例えば、１回又は２回）に亙って開放動作する。
【０００３】
ところで、この第２種のパチンコ機においては、遊技領域に発射された遊技球が直接始動入賞口へ入賞するため、特に、球速に勢いがある遊技球が始動入賞口へ入賞する場合には、その入賞タイミングを遊技者が認識できない。そのため、始動入賞口への遊技球の入賞タイミングを遊技者が認識できるように、始動入賞口までの遊技球の流動時間を延長するクルーンを備えた役物が始動入賞口の上方に配設することが考えられる。このクルーンは、平面視皿状の凹部を有し、この凹部の底面に遊技球が落下する落下口が形成された部材である。遊技球が役物の導入口からクルーンへ流入すると、その遊技球がすり鉢状に形成された凹部の外周に沿って上面上を約２〜３秒程度旋回しながら旋回力がなくなると落下口へ落下する。
【０００４】
特許文献１の弾球遊技機においては、クルーンとしての流下時間制御部を設けた流下時間不規則性装置が回転式の振り分け装置の上方に配設されている。この流下時間不規則装置の上部には通常入賞口が形成され、左右両側には打球侵入口が形成されている。
特許文献２の遊技機においては、クルーンとしての遊技球落下部を設けた遊技球集合装置が変動入賞装置の上方に配設されている。
【特許文献１】特開平１−３００９７３号公報
【特許文献２】特開平７−１２４３０４号公報
【発明の開示】
【発明が解決しようとする課題】
【０００５】
特許文献１の弾球遊技機においては、流下時間不規則性装置に到達した際の打球の球速及び侵入方向が打球毎に異なるので、流下時間制御部において複数の打球同士が干渉し、打球の全てを特定周回方向に転動させることができず、流下制御部が打球の流動経路を延長して、打球の流動時間を延長させる機能を果たさない。特に、球速に勢いがある打球が通常入賞口の真上から侵入した場合、その打球は流下時間制御部で転動せずに落下口に落下してしまうことがある。そのため、遊技者は、振り分け装置への遊技球の流入タイミングを認識できない。
【０００６】
また、特許文献２においても、特許文献１と同様の問題が生じる。球速に勢いがある遊技球が遊技球集合装置の真上から流入した場合、その遊技球が遊技球落下部で転動せずに変動入賞装置の方へ落下するので、遊技者は、変動入賞装置への遊技球の入賞タイミングを認識できない。  
本発明の目的は、遊技球の球速及び導入方向に関わらず、遊技球誘導経路延長装置内に流入した遊技球の流入方向の方向付けをし、特定周回方向へ転動させる弾球遊技機を提供することである。
【課題を解決するための手段】
【０００７】
請求項１の弾球遊技機は、遊技球の流動経路を延長する為の遊技球流動経路延長装置を備えた弾球遊技機において、遊技球流動経路延長装置は、遊技球を導入する導入口と、この導入口から導入された遊技球を受け止めて転動させる平面視円形の円形底部と、この円形底部に形成され遊技球が落下する１又は複数の落下口と、前記導入口に流入する遊技球を円形底部の方へ案内して平面視にて特定周回方向へ転動するように案内する第１案内部及び第２案内部とを備え、第１案内部は導入口から導入された遊技球を第２案内部の方へ案内し、第２案内部は遊技球を前記円形底部に案内するものである。
【０００８】
この弾球遊技機においては、遊技球が遊技領域を流動し遊技球流動経路延長装置の導入口へ流入する際、その遊技球が第１案内部により第２案内部の方へ案内され、第２案内部により円形底部の方へ案内されるので、円形底部で遊技球を特定周回方向へ転動させることができる。
【０００９】
請求項２の弾球遊技機は、請求項１の発明において、落下口は円形底部の中心寄り部分に前後に並べて２つ形成され、円形底部の上面は、外周側から中心側へ緩く下り傾斜した緩傾斜面に形成されていることを特徴としている。
【００１０】
請求項３の弾球遊技機は、請求項１又は２の発明において、遊技球流動経路延長装置は落下口から落下した遊技球を遊技盤の前面側へ排出させる排出口を備え、遊技球流動経路延長装置は所定の入賞口の上方に配設され、導入口は遊技盤の盤面よりも手前側に突出した位置に配置され、排出口は遊技盤の盤面よりも手前側に突出した位置で且つ入賞口の鉛直上方の部位に形成されたことを特徴としている。
【００１１】
請求項４の弾球遊技機は、請求項１〜３の発明の何れかにおいて、第１案内部は導入口の上流部の隅部に設けられた平面視三角形状の突起片で構成され、第２案内部は導入口の下流部に設けられた正面視三角形状の突起片で構成されたことを特徴としている。
【発明の効果】
【００１２】
請求項１の発明によれば、遊技球流動経路延長装置は、導入口と、円形底部と、落下口と、導入口に流入する遊技球を円形底部の方へ案内して平面視にて特定周回方向へ転動するように案内する第１案内部及び第２案内部とを備え、第１案内部は導入口から導入された遊技球を第２案内部の方へ案内し、第２案内部は遊技球を円形底部に案内するので、遊技球流動経路延長装置に到達した際の遊技球の球速及び導入方向にかかわらず、導入口から導入された遊技球が円形底部に流入するときの流入方向を方向付けすることができ、遊技球を円形底部で特定周回方向へ確実に転動させることができる。そのため、複数の遊技球が円形底部に流入したとき、複数の遊技球同士の干渉を防止できる。また、遊技球流動経路延長装置にて遊技球の流動時間を確実に延長させることができる。
【００１３】
さらに、第１，第２案内部を備えることにより、遊技球の球速及び導入方向に関わらず、円形底部で遊技球を特定周回方向へ転動するように案内するので、遊技球流動経路延長装置における導入口の配設位置の自由度を高めることができる。
【００１４】
請求項２の発明によれば、落下口は円形底部の中心寄り部分に前後に並べて２つ形成され、円形底部の上面は、外周側から中心側へ緩く下り傾斜した緩傾斜面に形成されているので、複数の遊技球が円形底部に案内された場合、落下口での遊技球の球詰まりを防止することができる。
【００１５】
請求項３の発明によれば、遊技球流動経路延長装置は所定の入賞口の上方に配設され、導入口は遊技盤の盤面よりも手前側に突出した位置に配置され、排出口は遊技盤の盤面よりも手前側に突出した位置で且つ入賞口の鉛直上方の部位に形成されたので、遊技球の入賞口への入賞タイミングを遊技者が認識することができる。
【００１６】
請求項４の発明によれば、第１案内部は導入口の上流部の隅部に設けられた平面視三角形状の突起片で構成され、第２案内部は導入口の下流部に設けられた正面視三角形状の突起片で構成されたので、導入口に導入された遊技球を特定方向から円形底部内へ流入させるように案内することができる。
【発明を実施するための最良の形態】
【００１７】
本実施例の弾球遊技機は、遊技球の流動経路を延長する為の遊技球経路延長装置を備え、この遊技球経路延長装置は、導入口と、遊技球を受け止めて転動させる円形底部と、落下口と、導入口に流入する遊技球を円形底部の方へ案内して平面視にて特定周回方向へ転動するように案内する第１案内部及び第２案内部とを備え、遊技球を円形底部で特定周回方向へ転動させるものである。
【実施例１】
【００１８】
以下、本発明の実施例を図面に基づいて説明する。本実施例は、パチンコホールの島構造体に配置される所謂第２種パチンコ機を本発明に適用した場合の一例である。尚、パチンコホールに設けられた島構造体に、その長さ方向に複数のパチンコ機が配設されている。
【００１９】
図１に示すように、パチンコ機１は、矩形枠状の外枠３と、外枠３に開閉自在に枢着された前枠４とを有し、外枠３が島構造体（図示略）に着脱自在に装着されている。前枠４には遊技盤５が裏側から着脱自在に装着され、遊技盤５の前側に対応させて、窓部６ａを有するガラス扉６と、発射用の遊技球２を貯留する上皿８の前面板７とが夫々開閉自在に枢着されている。前面板７の下部には、上皿８から溢流し又は抜き取った遊技球２を貯留する下皿９が固定的に設けられ、この下皿９の右側に発射ハンドル１０が取付けられている。
【００２０】
図２に示すように、鉛直な盤面を形成する遊技盤５には、外レール１５ａと内レール１５ｂとからなるガイドレール１５が略環状に設けられ、ガイドレール１５の内側に遊技領域５ａが形成されている。発射ハンドル１０の操作により発射された遊技球２が外レール１５ａの内面と内レール１５ｂの外面に沿って案内され遊技領域５ａの上部に投入される。
【００２１】
遊技領域５ａには、多数の障害釘２０、複数の風車２１、複数の普通入賞口２２、可変入賞装置２５、始動入賞口（所定の入賞口に相当する）１１、遊技球流動経路延長装置１２等が設けられている。遊技領域５ａに発射された遊技球２は、複数の遊技釘２０や複数の風車２１に当たって方向を換えながら落下していき、複数の普通入賞口２２、可変入賞装置２５、始動入賞口１１の何れかに入賞するか、最下端まで落下して球排出口２６から排出される。複数の普通入賞口２２、可変入賞装置２５、始動入賞口１１の何れかに遊技球２が入球した場合には、予め定めた数の遊技球２が下皿９に払い出される。
【００２２】
可変入賞装置２５は遊技領域５ａの中央部分に配設され、前面部が略Ｕ字形になった入賞装置本体３０と、入賞装置本体３０の上端部又は側部に設けられた１対の開閉羽根３１と、入賞装置本体３０の内側に形成された球遊動スペース３２と、可変入賞装置２５の内部において球遊動スペース３２に連通状に設けられた通常領域３３及び特定領域３４等を有する。
【００２３】
可変入賞装置２５の１対の開閉羽根３１は、図２に示すように、可変入賞装置２５に遊技球２が入賞しない実線で示す閉状態と、可変入賞装置２５に遊技球２が入賞し易い２点鎖線で示す開状態とに亙って可変に構成され、通常時、開閉羽根３１は閉状態に保持されている。尚、図示していないが、可変入賞装置２５は、１対の開閉羽根３１を閉状態と開状態とに亙って切換えるように駆動するソレノイドアクチュエータ又は電動モータ等からなる電動アクチュエータを備えている。
【００２４】
始動入賞口１１に遊技球２が入賞すると、可変入賞装置２５の開閉羽根３１が閉状態から開状態へ切換わるように１回開閉する。可変入賞装置２５の開閉羽根３１が開閉することにより、可変入賞装置２５に入賞した遊技球２は球遊動スペース３２で遊動して、通常領域３３と特定領域３４の何れかを通過し、遊技球２の払出しが賞として得られる。ここで、遊技球２が特定領域３４を通過すると、通常時では遊技者に有利な特別遊技状態になり、特別遊技中には特別遊技状態が継続可能になる。
【００２５】
特別遊技状態になると、可変入賞装置２５の開閉羽根３１が略連続的に開閉し、その開閉動作を所定回（例えば、18回）行うか、又は、可変入賞装置２５に所定個（例えば、10個）の遊技球２が入賞するか、の何れか一方を契機に終了するラウンドが、最高で設定ラウンド（例えば、15ラウンド）実行可能となる。最終ラウンドを除く各ラウンド実行中に、遊技球２が可変入賞装置２５の特定領域３４を通過すると、そのラウンドが終了して次のラウンドに移行する。
【００２６】
次に、遊技球２の流動経路を延長する為の遊技球流動経路延長装置１２について説明する。遊技球流動経路延長装置１２は、始動入賞口１１への遊技球２の入賞タイミングを遊技者が認識できるように始動入賞口１１の上方に配設されている。即ち、遊技球流動経路装置１２は、始動入賞口１１までの遊技球２の流動経路を延長して遊技球２の流動時間を延長するもである。
【００２７】
図２〜５に示すように、遊技球流動経路延長装置１２は、遊技球流動経路延長本体部材１３（以下、本体部材）と、遊技球導入部材１４とを備えている。本体部材１３には、円形底部１６が設けられている。遊技球導入部材１４には遊技球２を導入する導入口１８が形成され、この導入口１８内には、遊技球２を円形底部１６の方へ案内する第１案内部１９及び第２案内部２３とが設けられている。遊技球流動経路延長装置１２は、始動入賞口１１の上方に形成した装着孔５ｂに本体部材１３を前方から押し込むようにして遊技盤５の盤面に簡単に取り付けられている。
【００２８】
図３〜図５に示すように、本体部材１３は、横長形状の化粧板２７と、この化粧板２７よりも後側に位置する箱体２８とを備え、これらが一体成形されている。化粧板２７には、円形底部１６と連通する開口部（図示略）が形成されている。遊技球導入部材１４に導入された遊技球２が、その開口部を介して円形底部１６に流入する。
【００２９】
箱体２８は、前面が開放され且つ前記装着孔５ｂに挿入できる大きさを有する。箱体２８の後面には、ランプ３７を支持するランプ支持部材２９と、ランプ支持部材２９よりも下側に位置する係合部材３５とが設けられている。ランプ３７は、箱体２８の後面の上端部に形成された窓部から箱体２８の内部へ臨むように挿入されている。ランプ支持部材２９の後端部は、箱体２８の後面から後方へ突出した左右一対の第１支持部３６にビス止めされている。
【００３０】
合成樹脂製の係合部材３５は、箱体２８の後面から後方へ突出した左右１対の第２支持部３８にビス止めされている。ここで、図５に示すように、遊技球流動経路延長装置１２は、本体部材２８を始動入賞口１１の上方の装着孔５ｂに前方から押し込んで化粧板２７を遊技盤５の前面に取り付け、係合部材３５の左右１対の係合爪３５ａが装着孔５ｂの外周縁に後方から当接して係止することで遊技盤５に対して平行姿勢で組み付けられる。
【００３１】
円形底部１６は、所謂、クルーンと呼ばれ、円形底部内１６に流入した遊技球２を平面視時計回り又は反時計回り方向に約２〜３秒程度旋回させることで遊技球２の流動時間を延長するものである。図３、図５に示すように、円形底部１６は、箱体２８の内部に設けられ、遊技球導入部材１４から導入された遊技球２を受け止めて転動させるように平面視円形に形成されている。円形底部１６の上面は、外周側から中心側へ向かって緩く傾斜した緩傾斜面１６a を有するすり鉢形状に形成されている。
【００３２】
円形底部１６には、中心部分に前後方向に並べて２つの落下口１７が形成されている。２つの落下口１７は、遊技球２が１個のみ通過可能な大きさの円形に形成されている。即ち、円形底部１６は、上面に緩傾斜面１６aと、２つの落下口１７とを有するため、遊技球導入部材１４に導入した遊技球２が円形底部１６で受け止められると、外周に沿って緩傾斜面１６a 上を旋回することになる。そして、遊技球２の緩傾斜面１６a 上での旋回力がなくなると、遊技球２は、落下口１７から下方に落下する。
【００３３】
落下口１７よりも下側には、遊技球２を遊技盤５の前面側へ誘導する誘導口４０が設けられている。この誘導口４０は、前記化粧板２７に形成された排出口４７と連通し、前方に向かって下り傾斜状に形成されている。
【００３４】
図３、図５、図６に示すように、遊技球導入部材１４は、本体部材１３の化粧板２７の前面に取り付けられ、遊技盤５の盤面よりも手前側に突出した位置に配置されている。遊技球導入部材１４には、その後面から後方へ突出し位置決め用且つ回り止め用の左右１対の係合爪４１が設けられている。これら左右１対の係合爪４１が、箱体２８に形成された左右１対の係合溝４５に係止している。
【００３５】
遊技球導入部材１４の前面には装飾板４２が固定され、この装飾板４２は、その上半部が、箱体２８の内部が視認可能なように透明合成樹脂で構成されている。装飾板４２の裏面下半部の後側には、誘導口４０から排出される遊技球２を始動入賞口１１の方へ排出する排出口４３が設けられている。この排出口４３は、遊技盤５から突出した位置で且つ始動入賞口１１の鉛直上方の部位に設けられている。
【００３６】
導入口１８は、遊技球導入部材１４の上半部の中央部分に形成されている。この導入口１８の上流部の上端には、遊技領域５ａを流動する遊技球２を導入口１８内へ導入する為の開口部４４が形成されている。この開口部４４は、平面視コ字状の開口と化粧板２７の前面の上端部とで形成されている。この導入口１８の下流部の下端は、化粧板２７の開口部を介して円形底部１６と連通している。
【００３７】
次に、第１案内部１９と第２案内部２３について説明する。
図３〜図６に示すように、第１案内部１９と第２案内部２３は、遊技球２が円形底部１６に流入するときの流入方向を方向付ける為に設けられ、開口部４４から導入口１８内を流入する遊技球２を円形底部１６の方へ案内して平面視にて特定周回方向へ転動するように案内する部材である。
【００３８】
図３〜図５に示すように、第１案内部１９は、導入口１８の上流部の隅部に設けられている。第１案内部１９は化粧板２７と一体形成され、化粧板２７の前面の上部から前方へ突出した平面視三角形状の突起片で構成されている。第１案内部１９は、導入口１８の開口部４４の左右１対の側壁の内側領域内に収まる長さを有し、左側側壁から右側側壁へ向かって前後方向の幅が狭くなるように形成されている。第１案内部１９の上面は平坦面に形成されている。前面の上半部は、第２案内部２３へ向けて右側手前前方に緩く下り傾斜した緩傾斜面１９ａに形成され、下半部が鉛直面に形成されている。
【００３９】
図４〜図６に示すように、第２案内部２３は、導入口１８の下流部の略中央から右側に亙って設けられている。第２案内部２３は円形底部１６と一体成形された正面視三角形状の突起片で構成されている。第２案内部２３の右側面は、円形底部１６の外周面の前部から鉛直方向へ立設した鉛直面に形成され、左側面は円形底部１６の流入口へ向けて左側手前前方に緩く下り傾斜した緩傾斜面２４ａに形成されている。
【００４０】
次に、遊技球流動経路延長装置１２の作用について説明する。
図７に示すように、球速に勢いがある遊技球２が遊技球導入部材１４の真上から導入口１８に導入されると、その遊技球２が第１案内部１９の上面に接触し遊技球２の球速がある程度減速され、前面の傾斜面１９ａから右側前方の方へ落下して第２案内部２３の方へ案内される。次に、遊技球２が第２案内部２３へ案内されると、第２案内部２３の左側傾斜面２３ａに接触し、その傾斜面２３ａ上を転動して左側前方へ案内され、円形底部１６の流入口へ案内される。左側から円形底部１６内に流入した遊技球２は、外周に沿って緩斜面１６ａ上で平面視時計方向回り（特定周回方向）に約２〜３秒程旋回する。つまり、円形底部１６内で、遊技球２が旋回することにより、遊技球２の流動時間が延長されることになる。そして、旋回力がなくなると、その遊技球２が落下口１７から誘導口４０へ落下する。
【００４１】
以上説明した実施例のパチンコ機１の効果について説明する。
球速に勢いがある遊技球２が遊技領域５ａに発射され、障害釘２０や風車２１により方向を変えながら、その遊技球２が導入口１８の真上から導入される。導入口１８に流入した遊技球２は、第１案内部１９により第２案内部２３の方へ案内され、第２案内部２３により円形底部１６の方へ案内され平面視にて特定周回方向へ転動するように案内されるので、遊技球流動経路延長装置１２に到達した際に、球速に勢いがある遊技球２が導入口１８の真上から導入されても、遊技球２が円形底部１６に流入するときの流入方向を方向付けすることができ、遊技球２を円形底部１６で特定周回方向へ確実に転動させることができる。そのため、複数の遊技球２が円形底部１６に流入したとき、複数の遊技球２同士の干渉を防止できる。また、遊技球流動経路延長装置１２にて遊技球２の流動時間を確実に延長させることができる。
【００４２】
落下口１７は円形底部１６の中心寄り部分に前後に並べて２つ形成され、円形底部１６の上面は、外周側から中心側へ緩く下り傾斜した緩傾斜面１６a に形成されているので、複数の遊技球２が円形底部１６に案内された場合、落下口１７での遊技球２の球詰まりを防止することができる。
【００４３】
遊技球流動経路延長装置１２は始動入賞口１１の上方に配設され、導入口１８は遊技盤５の盤面よりも手前側に突出した位置に配置され、排出口４３は遊技盤５の盤面よりも手前側に突出した位置で且つ始動入賞口１１の鉛直上方の部位に形成されたので、遊技球２の始動入賞口１１への入賞タイミングを遊技者が認識することができる。
【００４４】
次に、前記実施例を部分的に変更した変更例について説明する。
１〕実施例においては、第１案内部１９を平面視三角形状の突起片とし、第２案内部２３を正面視三角形状の突起片として構成したが、その他種々の形状の突起片で構成してもよい。例えば、第１案内部を平面視扇形状の突起片に構成してもよい。また、第２案内部を側面視円弧状の突起片に構成してもよい。          
【００４５】
２〕実施例においては、導入口１８内において、第１案内部１９と第２案内部２３により、遊技球２が円形底部１６で平面視時計回り方向へ転動するように案内されたが、円形底部１６で遊技球２が平面視反時計回り方向へ転動するように、第１案内部１９と第２案内部２３の配設位置を変更した構成にしてもよい。
【００４６】
３〕実施例においては、遊技球流動経路延長装置１２を始動入賞口１１の上方に配設したが、始動入賞口１１以外の入賞口の上方に配設してもよい。例えば、可変入賞装置２５の上方に配設してもよい。
【００４７】
４〕実施例においては、遊技球流動経路延長装置１２は、遊技球２の流動時間を延長するものであったが、その遊技球流動経路延長装置１２が入賞口を兼用するものであってもよい。例えば、導入口１８、或いは落下口１７を入賞口とする構成にしてもよい。
【００４８】
５〕その他、当業者であれば、前記実施例に種々の変更を付加した形態で実施可能であり、本発明はそのような変更された種々の形態を包含するものである。
【図面の簡単な説明】
【００４９】
【図１】パチンコ機の斜視図である。
【図２】パチンコ機の遊技盤の正面図である。
【図３】遊技球流動経路延長装置の斜視図である。
【図４】遊技球流動経路延長装置の正面図である。
【図５】遊技球流動経路延長装置のＩＶ−ＩＶ線断面平面図である。
【図６】遊技球流動経路延長装置の縦断面図である。
【図７】第１，第２案内部と円形底部の斜視図である。
【符号の説明】
【００５０】
１      パチンコ機
５      遊技盤
１１    始動入賞口
１２    遊技球流動経路延長装置
１６    円形底部
１６ａ  緩傾斜面
１７    落下口
１９    第１案内部
２３    第２案内部
４３    排出口
【図１】
2008264247.tif 000003
【図２】
2008264247.tif 000004
【図３】
2008264247.tif 000005
【図４】
2008264247.tif 000006
【図５】
2008264247.tif 000007
【図６】
2008264247.tif 000008
【図７】
2008264247.tif 000009